(57)【要約】【課題】簡単な調整と送出物を順次積み増すことで、下層から一部ずつ送出する連続送出装置。【解決手段】なだらかな凸部を備えた送出ローラと、凸部を挟んだ外周に摩擦部材を持つ固定部材でゲートを構成し、固定部材の間にひっかかり部を設けて二重に重送を防止している。送出物の積載量の減少から空送等を防止する上下に揺動するローラを設けて安定した送出をするようにしている。【選択図】　　　　図１
2004035260.tif 000002
【特許請求の範囲】
【請求項１】
一部にリング状の凸部を備えた送出ローラと、前記送出ローラの凸部を挟む位置に、外周部にゴム質の摩擦部材を備えた２っの固定部材と、２っの固定部材の間に引っ掛かり凸部を設けた部材を固着し、２っの固定部材に回転自在のローラを備え、前記送出ローラに２っの固定部材の両外側位置に送出ベルトを、送出物の下面に備えたローラに巻回し、前記２っの固定部材を前記送出ローラから離すように作用するばねと、前記２っの固定部材を前記送出ローラに微細に接近させる機構を備えた送出装置。
【請求項２】
前記送出部下面に備えたローラを偏芯回転させることを特徴とする請求項１に記載の送出装置。
【請求項３】
送出物の後部を下面から支え上下に揺動するローラ機構を特徴とする請求項１に記載の送出装置。
【発明の詳細な説明】
【０００１】
【発明の属する技術分野】
本発明は事務用紙から比較的硬い紙、プラスチックシート、冊子等を積み上げた最下層から順に確実に送出する装置に関する。
【０００２】
【従来の技術】
積載物の下層から送出ベルトで送りだす装置は従来から知られていたが、積載物が少量になると積載物の上に重りを乗せる、また積載物の後端の持ち上げ角度を大きくする等人手に頼らなければならない現状があった。
【０００３】
積載物を下層から送出するのに後部を固定の積載台にし、送出力を増大するために送出ベルトを、幅広また全域にする等の工夫があったが、積載量の減少と共に送りむら等が避けられず連続稼働の障害になっていた。
【０００４】
送出を規制するゲートの調節が、比較的厚さのあるものでは容易であるが、１枚の紙等薄い物では面倒であり不確実な送出になりやすい欠点があり、簡単な調整で確実に連続送出できる送出装置が求められていた。
【０００５】
【発明が解決しようとする課題】
本発明は送出物を載置部に置くだけの操作で、一部ずつ破損することなく送出させる調整簡単な連続送出装置の提供を目的とする。
【０００６】
【課題を解決するための手段】
本発明は送出ローラに凸状リング部を設け、その両側に重送を防止する摩擦部材でゲートを構成し、凸部で持ち上がった送出物の上面を引っ掛かり部材で、二重に重送を防止するようにしたことを特徴とする。
【０００７】
本発明は積載した送出物を上下に揺動し、送出物の減少から送出物の重量による送出物と、送出ベルトの摩擦力の減少から搬送力の減少を補い、確実にゲート部に送り込むようにしたことを特徴とする。
【０００８】
【発明の実施の形態】
【実施例】
本発明の実施例を図１と図２によって説明する。側板１は図示しない他方の側板と梁２によってフレームの一部を構成している。ガイド３は積載する送出物Ｓに合わせてセットする揃えの案内であり、梁２に調節自在に取付けてあり、なお他方のガイドは図示していない。なを全体が送出方向に向かって傾斜している。
【０００９】
送出ローラ４は側板１に回転自在に取付けてあり、軸にはプーリ５が取付けてある。排出ローラ６は同じく側板１に回転自在に取付けてあり、軸にはプーリ７を取付けてあってモータＭの軸にはプーリ８を取付け、ベルト９で、プーリ５とプーリ７を巻回し矢印Ａ方向に回転するようにしてある。
【００１０】
送出ローラ４にはなだらかな形状の凸部１０備えていて、送出物の一部Ｐの送出に容易な腰をつけると共に、後記する重送防止を容易にしている。送出ベルト１１は背面にリブを備えた本例ではＶベルトである。またリブ部が送出ローラ４の外径より突出するようにしてある。
【００１１】
図３及び図４を加えて説明する。固定部材１２は外周部にゴム質の摩擦部材１３備えている。保持部材１５とそれぞれの固定部材１２は支柱１６で連結固定してある。ローラ１７は送出ローラ４の凸部１０を挟む位置の固定部材１２を軸１８で貫通し、回転自在に取付けてあり、これら全体で取外し自在なユニットを構成している。送出物Ｓは摩擦部材１３の円弧部Ｃで順次分離されながらゲート部Ｇに送り込まれる。
【００１２】
ひっかかり部材１９は送出ローラ４に対向する位置に取付けてあり、送出方向にひっかかり部２０を備えている。送出ローラ４の凸部１０と、摩擦部材１３の隙間でゲートＧを構成する。従って送出される紙等は凸部１０で緩やかに持ち上げられ、重なって送り込まれようとする上側の送出物をひっかかり部２０で阻止し、確実に一部のＰのみ送出ベルト１１とローラ１７で送り出す。
【００１３】
保持部材１５は凸部２１と下方にも凸部２２を備えている。保持腕２３は凸部２２の受け位置を決める穴２４を備え、他端に自由に回動する軸受け１４を側板１に備えている。また保持腕２３は図示しない上方に押し上げるばねを備えていて、前記ユニットを送出ローラ４より離す方向に力を加えている。
【００１４】
軸２５は側板１に回動自在に取付けてあり、一方にはツマミを備えている。カム２６は外周部に多数の切り欠き部２７を備え、それぞれの切り欠き部２７は軸２５の中心よりカム機能の両端では小から大に寸法が変えてあり、切り欠き部２７のそれぞれは、保持部１５の凸部２１にかみ合い安定するようにしてある。
【００１５】
従って軸２５を回動することによって、凸部２１はカム２６に従って上下することになり、前記した固定部材１２、ローラ１７等で構成したユニットを上下に調整でき、言い換えると送出ローラ４の凸部１０の間にできるゲートＧの隙間を微細に調整できることになる。
【００１６】
ローラ２８は軸部で側板１に回転自在に取付けられ、送出ベルト１１によって回転する。送出物Ｓを送出ベルト１１に積むことによって、送出ベルト１１に接する最下層の一部Ｐがゲート部Ｇに送られるようになる。またローラ２８を偏心ローラにすることによって、送出物Ｓを上下に揺する効果でゲート部に送出物を送り込みやすくすることも可能である。
【００１７】
保持腕２９は軸３０で他方の保持腕に接続してありローラ３１が回転自在に取付けてある。保持腕２９は軸３２で側板１に取付けてある。カムホロア３３は、保持腕２９に回転自在に取付けてある。ローラ３４はローラ２８の軸に固着した偏心したローラで、ローラ２８の回転に従ってローラ３１を軸３２を中心に上下に揺動しゲート部Ｇに送出物Ｓを送り込みやすくする。
【００１８】
ローラ３５は側板１に回転自在に取付けてあり、排出ローラ６との間にベルト３６を巻回してある。押さえローラ３７は保持板３８に回転自在に取付けてあり保持板３８は支柱１６に引っかけ、押さえローラ３７はベルト３６に乗った形である。支柱３９は保持板３８を連結するものでローラ３７の重りでもある。ゲート部Ｇを通過した送出物Ｐはベルト３６の上に排出され次の工程に運ばれることになる。
【００１９】
センサ４０は排出した送出物Ｐを確認する投受光のセンサであり、センサを通過する数量またエラー等のチェックをする。
【００２０】
本発明の一連の動作を説明する。送出物Ｓの一部Ｐをゲート部Ｇに送り込み、軸２５を回して一部のＰのみ通過できる隙間に合わせ調整を終わる。送出ベルト１１の上の載置位置に送出物Ｓを乗せる。送出ベルトの回動で最下層の送出物ＳがゲートＧに向かって送り込まれる。
【００２１】
このとき送出ベルト１１の回動につれて送出物Ｓもベルトと共に進むが、摩擦部材１３の円弧部Ｃに阻止されて順次うろこ状になり、それぞれが分離されて都合がよい。言うまでもなく円弧部Ｃ部は斜めの直線で構成されていても、略同等の効果があり固定部材１２の形状を略Ｖ字状にすることもできる。
【００２２】
ゲート部Ｇに送り込まれる送出物の一部Ｐは、送出ベルト１１のリブのエッジで強力に送られ、送出ローラの凸部１０と摩擦部材１３でゆるやかな山状の腰がつき送りだされる。万一二部または二枚がゲート部Ｇに送られたときは、上側の物がひっかかり部２０によって阻止されることは言うまでもない。
【００２３】
送出物の送り出しによる積載量の減少、送出物どうし剥がれ難い物等をゲート部Ｇに送り込みやすくするのに、ローラ２８を揺動させることは効果的である。また本実施例に示すように、揺動するローラ３１等の機構を加えてもよく、また軸３２を偏心軸にしローラ３１の揺動幅を送出物に合わせて調整してもよい。
【００２４】
送出物のサイズに合わせて送出ローラの凸部で構成するゲート部を、１か所また２乃至それ以上増設することも、送出物の厚みにたいして調整幅を広くするために、カム２６の切り欠き部を略全周にわたって調整幅を大きくできることは言うまでもない。
【００２５】
【発明の効果】
以上説明したように本発明によれば、送出物でゲート隙間を調整し、作動中に順次送出物を積み増すだけで連続送出ができる。凸部で構成するゲートとひっかかり部２０で重送が阻止できると共に、揺動するローラで送り込みむら空送も防止できると言った効果を奏する。
【００２６】
一枚の紙から冊子等幅広い物に対応できると共に、送出ローラのなだらかな形状の凸部でゲートを構成するので、例えば数回の繰り返し送出をしても送出物に痕跡を残すことがないと言った効果を奏する。
【図面の簡単な説明】
【図１】本発明の実施例を示す側面図で一部分破断した図である。
【図２】全体を示す斜視図で一部を破断した図である。
【図３】ゲート部を示す正面図である。
【図４】図３のＡ−Ａ断面図でゲートの関係を示す。
【符号の説明】
Ｓ　　送出物を積載した物
４　　送出ローラ
１０　　凸部
１１　　送出ベルト
１２　　固定部材
１３　　摩擦部材
１７　　ローラ
２０　　ひっかかり部
２６　　カム
３１　　ローラ
【図１】
2004035260.tif 000003
【図２】
2004035260.tif 000004
【図３】
2004035260.tif 000005
【図４】
2004035260.tif 000006